(57)【要約】【課題】コンテンツを適切に評価することが可能な情報処理装置、情報処理方法、およびプログラムを提供すること。【解決手段】第１テキストと第２テキストを含む評価対象のコンテンツにおいて、前記第２テキストに含まれるキーワードが、前記第１テキストに含まれるか否かに基づいて、前記評価対象のコンテンツを評価する評価部を備える、情報処理装置。【選択図】図１
2019139464.tif 000002
【特許請求の範囲】
【請求項１】
第１テキストと第２テキストを含む評価対象のコンテンツにおいて、前記第２テキストに含まれるキーワードが、前記第１テキストに含まれるか否かに基づいて、前記評価対象のコンテンツを評価する評価部を備える、
情報処理装置。
【請求項２】
前記評価部は、前記評価対象のコンテンツに含まれるキーワードが前記第１テキストに含まれず且つ前記第２テキストに含まれる度合いに基づいて、前記評価対象のコンテンツを評価する、
請求項１記載の情報処理装置。
【請求項３】
前記評価部が処理対象とするキーワードは、複数のコンテンツをサンプルとした場合に、同じコンテンツにおいて前記第１テキストと前記第２テキストとの双方に含まれる確率が高いキーワードである、
請求項１または２記載の情報処理装置。
【請求項４】
複数のコンテンツをサンプルとし、前記第１テキストよりも第２テキストとをそれぞれ分割することで得られるキーワードが、同じコンテンツにおいて前記第１テキストと前記第２テキストとの双方に含まれる確率を導出する導出部を更に備え、
前記評価部は、前記導出部により導出された確率が基準よりも高いキーワードを処理対象とする、
請求項３記載の情報処理装置。
【請求項５】
前記評価部は、前記評価対象のコンテンツにおいて、前記導出部により導出された確率が基準よりも高く、且つ前記第１テキストに含まれず前記第２テキストに含まれるキーワードの数に基づいて、前記評価対象のコンテンツを評価する、
請求項４記載の情報処理装置。
【請求項６】
前記評価部は、前記評価対象のコンテンツを評価した後、予め定められた所定のキーワードが前記第１テキストに含まれず前記第２テキストに含まれるキーワードとしてカウントされた場合において、前記所定のキーワードに対応する他の表現によるキーワードが前記第１テキストに含まれる場合、前記第１テキストに含まれず前記第２テキストに含まれるキーワードの数を減ずる補正を行う、
請求項５記載の情報処理装置。
【請求項７】
前記評価部は、前記評価対象のコンテンツにおいて、前記導出部により導出された確率が基準よりも高く、且つ前記第１テキストに含まれず前記第２テキストに含まれるキーワードのそれぞれの前記確率に基づいて、前記評価対象のコンテンツを評価する、
請求項４から６のうちいずれか１項記載の情報処理装置。
【請求項８】
前記第１テキストは、前記コンテンツのタイトルであり、
前記第２テキストは、前記コンテンツの詳細説明である、
請求項１から７のうちいずれか１項記載の情報処理装置。
【請求項９】
前記評価部による評価結果に基づいて、前記コンテンツを提供する際の優先度として用いられるランキングを決定するランキング処理部を更に備える、
請求項１から８のうちいずれか１項記載の情報処理装置。
【請求項１０】
前記コンテンツは、ネットワークを介して商品またはサービスを販売するためのコンテンツである、
請求項１から９のうちいずれか１項記載の情報処理装置。
【請求項１１】
前記コンテンツは、階層構造を有する画面遷移の中で提供されるものであり、
前記第１テキストは、前記商品またはサービスを販売するための画面よりも上の階層の画面において一部または全部が表示される、
請求項１０記載の情報処理装置。
【請求項１２】
前記第１テキストまたは前記第２テキストは、前記商品またはサービスを出品する出品者によって作成されるものであり、
前記導出部は、前記商品またはサービスを大量に出品する出品者によって作成された前記第１テキスト及び前記第２テキストを、前記確率を導出する元データから間引く処理を行う、
請求項１０または１１記載の情報処理装置。
【請求項１３】
前記評価部により所定の評価を得たコンテンツに係る商品またはサービスを出品する出品者の端末装置に対し、前記第１テキストまたは前記第２テキストの修正を促す情報を出力するサジェスト部を更に備える、
請求項１０から１２のうちいずれか１項記載の情報処理装置。
【請求項１４】
コンピュータが、
第１テキストと第２テキストを含む評価対象のコンテンツにおいて、前記第２テキストに含まれるキーワードが、前記第１テキストに含まれるか否かに基づいて、前記評価対象のコンテンツを評価する、
情報処理方法。
【請求項１５】
コンピュータに、
第１テキストと第２テキストを含む評価対象のコンテンツにおいて、前記第２テキストに含まれるキーワードが、前記第１テキストに含まれるか否かに基づいて、前記評価対象のコンテンツを評価させる、
プログラム。
【発明の詳細な説明】
【技術分野】
【０００１】
本発明は、情報処理装置、情報処理方法、およびプログラムに関する。
【背景技術】
【０００２】
従来、店舗で販売されている商品を販売するネットスーパーのＷｅｂページに、商品を検索するための語句を入力する入力欄を表示する入力欄表示手段と、前記入力欄に入力された語句を検索に用いる検索語句として確定し、検索処理を開始する検索開始指示を受付ける検索開始指示受付手段と、前記ネットスーパーのＷｅｂページを介して前記店舗が販売している商品の商品情報を格納した商品マスタを参照し、当該商品マスタに格納されている商品情報を検索対象として、前記検索開始指示を受付けた前記検索語句に関する検索処理を行う検索手段と、前記検索開始指示に先立って、前記商品マスタから、前記入力欄に入力されているテキストを前記商品情報の一部として有する商品の商品名を抽出し、前記検索処理を行う商品名の候補として、前記入力欄の下方に並べて表示する商品名候補表示手段と、前記商品名の候補から、検索を行う商品名候補の選択を受付ける検索語句受付手段と、を備え、前記検索手段は前記検索語句受付手段が受付けた前記商品名候補により前記検索処理を行う、情報処理装置が知られている（特許文献１参照）。
【先行技術文献】
【特許文献】
【０００３】
【特許文献１】特開２０１７−１４６９８８号公報
【発明の概要】
【発明が解決しようとする課題】
【０００４】
例えば、上記のような電子商取引の分野においては、利用者が購入しようとする商品等の名称やブランド名、カテゴリなどがクエリとして入力され、商品等のデータベースを検索することで得られた商品等の紹介ページへのリンクが、検索結果表示画面に表示される。この検索においては、商品等に付与されたメタ情報が利用されるが、メタ情報が不適切なものであると、その商品等の情報が過剰に露出する機会が生じてしまう。同様のことは、例えば、ニュース記事の配信においても生じ得る。ニュース記事に不適切なワードが多く含まれていると、ニュース検索の結果、過剰に検索ヒットする可能性があり、同様に、過剰に露出する機会が生じてしまう。従来の技術では、過剰な露出が生じる可能性についてコンテンツを適切に評価することができない場合があった。
【０００５】
本発明は、このような事情を考慮してなされたものであり、コンテンツを適切に評価することが可能な情報処理装置、情報処理方法、およびプログラムを提供することを目的の一つとする。
【課題を解決するための手段】
【０００６】
本発明の一態様は、第１テキストと第２テキストを含む評価対象のコンテンツにおいて、前記第２テキストに含まれるキーワードが、前記第１テキストに含まれるか否かに基づいて、前記評価対象のコンテンツを評価する評価部を備える、情報処理装置である。
【発明の効果】
【０００７】
本発明の一態様によれば、コンテンツを適切に評価することができる。
【図面の簡単な説明】
【０００８】
【図１】情報処理装置を利用したショッピングサーバ１００の構成および使用環境の一例を示す図である。
【図２】検索入力画面ＩＭ１の一例を示す図である。
【図３】検索結果表示画面ＩＭ２の一例を示す図である。
【図４】商品販売画面ＩＭ３の一例を示す図である。
【図５】商品データ１４０の内容の一例を示す図である。
【図６】同時存在確率導出部１３０および商品評価部１３２により実行される処理の流れの一例を示すフローチャートである。
【図７】Ｓ２２０における処理の内容について説明するための図である。
【図８】商品評価部１３２により実行される処理の流れの一例を示すフローチャートである。
【図９】ネガティブチェックリストを用いた処理について説明するための図である。
【発明を実施するための形態】
【０００９】
以下、図面を参照し、本発明の情報処理装置、情報処理方法、およびプログラムの実施形態について説明する。情報処理装置は、一以上のプロセッサにより実現される。情報処理装置は、ネットワークを介して行われるショッピングやオークション、フリーマーケットなどの電子商取引における商品またはサービスの販売画面（紹介画面）、ネットワークを介して配信されるニュース記事などのコンテンツを評価する装置である。以下の説明では、コンテンツはショッピングにおける商品またはサービスの販売画面であるものとする。また、商品またはサービスを区別せず、単に商品と称して説明する。
【００１０】
情報処理装置は、ショッピングサイトを管理するショッピングサーバ（出品者と管理者が異なるという意味で販売仲介サーバとも称する）などに包含される装置であってもよい。すなわち、情報処理装置は、仮想的な装置であってもよい。また、情報処理装置は、ショッピングサーバそのものであってもよい。以下では、情報処理装置がショッピングサーバの少なくとも一部を構成するものとして説明する。
【００１１】
［全体構成］
図１は、情報処理装置を利用したショッピングサーバ１００の構成および使用環境の一例を示す図である。ショッピングサーバ１００は、ネットワークＮＷを介して一以上の端末装置１０と通信する。ネットワークＮＷは、例えば、インターネット、ＷＡＮ（Wide Area Network）、ＬＡＮ（Local Area Network）、無線基地局、プロバイダ端末、専用回線などを含む。
【００１２】
端末装置１０は、例えば、パーソナルコンピュータやスマートフォンなどの携帯電話、タブレット端末などである。端末装置１０には、商品の出品者により使用される端末装置と、商品の購入者により使用されるの端末装置とがあるが、図１ではこれらを区別せず表記している。端末装置１０では、ブラウザやアプリケーションプログラムなどのＵＡ（User Agent）２０が起動する。ＵＡ２０は、ショッピングサーバ１００から提供された販売画面を表示すると共に、端末装置１０の利用者によってなされた入力操作に応じたリクエストをショッピングサーバ１００に送信する。ショッピングサーバ１００は、ＵＡ２０からのリクエストに応じて商品の販売を管理する。以下の説明では、ＵＡ２０はブラウザであり、ショッピングサーバ１００はウェブサーバであるものとする。
【００１３】
ショッピングサーバ１００は、例えば、サイト提供部１０２と、出品受付部１０４と、検索実行部１０６と、ランキング処理部１０８と、ログ収集部１１０と、情報修正サジェスト部１１４と、同時存在確率導出部１３０と、商品評価部１３２とを備える。これらの構成要素は、例えば、ＣＰＵ（Central Processing Unit）などのハードウェアプロセッサがプログラム（ソフトウェア）を実行することにより実現される。また、これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。プログラムは、予めＨＤＤ（Hard Disk Drive）やフラッシュメモリなどの記憶装置に格納されていてもよいし、ＤＶＤやＣＤ−ＲＯＭなどの着脱可能な記憶媒体に格納されており、記憶媒体がドライブ装置に装着されることでインストールされてもよい。
【００１４】
「情報処理装置」は、少なくとも商品評価部１３２を含む。また、「情報処理装置」は、同時存在確率導出部１３０、ランキング処理部１０８、情報修正サジェスト部１１２などのうち一部または全部を含んでもよい。例えば、同時存在確率導出部１３０と商品評価部１３２とは別体の装置によってそれぞれ実現されてもよい。
【００１５】
また、ショッピングサーバ１００は、ＨＤＤやフラッシュメモリ、ＲＡＭ（Random Access Memory）などの記憶装置に、商品データ１４０、ログデータ１５０などのデータを格納している。
【００１６】
［ショッピングサーバの機能］
サイト提供部１０２は、ショッピングサイトとしての各種画面を端末装置１０に提供する。図２は、検索入力画面ＩＭ１の一例を示す図である。検索入力画面ＩＭ１には、商品を検索するためのクエリを入力するためのクエリ入力欄Ａ１、および、入力されたクエリで検索を実行させるための検索ボタンＢ１が設けられている。クエリ入力欄Ａ１にクエリが入力され、検索ボタンＢ１が操作されると、検索結果表示画面ＩＭ２に遷移する。なお、クエリには、一語だけのクエリもあるし、複数の子クエリがスペースなどで結合された複数語を含むクエリもある。
【００１７】
図３は、検索結果表示画面ＩＭ２の一例を示す図である。検索結果表示画面ＩＭ２には、検索結果表示欄Ａ２が含まれる。検索結果表示欄Ａ２には、ランキング処理部１０８によって決定されたランキング順に、商品の画像や説明（例えば、後述するタイトルの一部または全部）が並べて表示される。検索結果表示画面ＩＭ２において一つの商品の画像や説明が操作されると、商品販売画面ＩＭ３に遷移する。
【００１８】
図４は、商品販売画面ＩＭ３の一例を示す図である。商品販売画面ＩＭ３には、商品画像表示欄Ａ３−１、タイトル欄Ａ３−２、詳細説明欄Ａ３−３などが含まれる。タイトル欄Ａ３−２や詳細説明欄Ａ３−３には、製造元、商品の素材、使用、その他の内容がテキストとして掲載される。タイトル欄Ａ３−２に表示されるテキスト（以下、「タイトル」と表記する）は、詳細説明欄Ａ３−３に表示されるテキスト（以下、「詳細説明」と称する）よりも文字数が制限されている。タイトルは、第１テキストの一例である。詳細説明は、第２テキストの一例である。商品販売画面ＩＭ３は、検索入力画面ＩＭ１や検索結果表示画面ＩＭ２を上位とする階層構造を有する画面遷移の中で提供されるものである。
【００１９】
サイト提供部１０２は、図２〜４で示すような各種画面の他、出品者に対するインターフェースとなる画像も提供する。出品受付部１０４は、このインターフェースとなる画像を用いて出品者により入力された、商品の出品のための情報を取得し、商品データ１４０に登録する。
【００２０】
図５は、商品データ１４０の内容の一例を示す図である。商品データ１４０は、商品の識別情報である商品ＩＤに対して、商品カテゴリ、商品画像、タイトル、詳細説明、価格、発送条件、その他のデータが対応付けられたものである。これらのうち、商品ＩＤは、出品受付部１０４により付番された情報であり、その他の情報は、出品者により入力されたものである。
【００２１】
検索実行部１０６は、前述したように検索入力画面ＩＭ１に対してなされた検索指示に応じて、商品データ１４０を検索する。例えば、検索実行部１０６は、タイトルまたは詳細説明の中にクエリが含まれる商品データ１４０のレコード（商品ＩＤ）を抽出する。
【００２２】
ランキング処理部１０８は、検索実行部１０６により抽出されたレコードに対応する商品についてログデータ１５０に基づいてランキング処理（順位付け）を行い、検索結果表示画面ＩＭ２の検索結果表示欄Ａ２に情報を表示する商品の順序を決定する。例えば、ランキング処理部１０８は、ログデータ１５０に基づいてインプレッション数、ＣＴＲ（Click Through Ratio）、ＣＶＲ（Conversion Rate）などの指標値を計算し、指標値に基づいてランキング処理を行う。
【００２３】
ログ収集部１１０は、利用者ごとのショッピングサイトの利用履歴を収集し、ログデータ１５０に登録する。情報修正サジェスト部１１２の機能については後述する。
【００２４】
［情報処理装置としての機能］
以下、ショッピングサーバ１００における情報処理装置としての機能について説明する。この機能は、出品者により出品された商品について、過剰な露出が生じる可能性があるかどうかを評価するためのものである。
【００２５】
図６は、同時存在確率導出部１３０および商品評価部１３２により実行される処理の流れの一例を示すフローチャートである。まず、同時存在確率導出部１３０は、商品データ１４０に含まれる全てのレコードを対象として（すなわち複数のコンテンツをサンプルとして）、各レコードにおけるタイトルと詳細説明とを、それぞれ形態素解析などによって単語に分割し、分割した単語を例えば名詞に絞り込む処理を行う（Ｓ２００）。以下、係る処理によって絞り込まれた名詞をキーワードと称する。
【００２６】
次に、同時存在確率導出部１３０は、Ｓ２００で絞り込んだキーワードを更に、一定数（例えば１０００程度）の商品の詳細説明に含まれているキーワードに絞り込む（Ｓ２１０）。
【００２７】
次に、同時存在確率導出部１３０は、キーワードごとに、そのキーワードが商品のタイトルと詳細説明の双方に含まれている確率Ｐを計算する（Ｓ２２０）。図７は、Ｓ２２０における処理の内容について説明するための図である。同時存在確率導出部１３０は、例えば、対象となるキーワードを「Ａ」とすると、商品データ１４０の各レコードのタイトルにおけるキーワード「Ａ」の出現数Ｆ＿ｔｉｔと、商品データ１４０の各レコードの詳細説明におけるキーワード「Ａ」の出現数Ｆ＿ｄｅｓとをそれぞれカウントし、Ｆ＿ｔｉｔをＦ＿ｄｅｓで除算した値を、キーワード「Ａ」についての確率Ｐとして算出する。なお、同時存在確率導出部１３０は、一つのレコードに同じキーワードが複数個存在する場合でも、そのレコードにおける出現数を１とカウントする。
【００２８】
図６に戻り、商品評価部１３２は、確率Ｐが基準よりも高いキーワードが、タイトルに含まれず且つ商品詳細に含まれる度合いが高いほど、過剰な露出が生じやすい商品と評価する（Ｓ２３０）。係る処理の具体例については図８を用いて説明する。
【００２９】
図８は、商品評価部１３２により実行される処理の流れの一例を示すフローチャートである。まず、商品評価部１３２は、Ｓ２１０で絞り込まれたキーワードを更に、確率Ｐが閾値Ｔｈ１以上であるキーワードに絞りこむ（Ｓ２３１）。閾値Ｔｈ１は、１未満の値であり、例えば、０．８５程度の値である。ここまでの処理によって、一定数の商品の詳細説明に含まれ、且つ確率Ｐが閾値以上であるキーワードの集合が抽出される。
【００３０】
次に、商品評価部１３２は、商品ごとに、Ｓ２３２〜Ｓ２３７の処理を行う。以下の説明において、「ｉ」は商品を識別する情報である。まず、商品評価部１３２は、Ｓ２３１で絞り込まれたキーワードを母集団として、着目する商品に対応するレコードのタイトルに含まれるキーワード群｛ＫＷ＿ｔｉｔ（ｉ）｝を作成する（Ｓ２３２）。
【００３１】
次に、商品評価部１３２は、Ｓ２３１で絞り込まれたキーワードを母集団として、その商品に対応するレコードの詳細説明に含まれるキーワード群｛ＫＷ＿ｄｅｓ（ｉ）｝を作成する（Ｓ２３３）。
【００３２】
次に、商品評価部１３２は、Ｓ２３２で作成したキーワード群｛ＫＷ＿ｔｉｔ（ｉ）｝と、Ｓ２３３で作成したキーワード群｛ＫＷ＿ｄｅｓ（ｉ）｝の積集合｛ＫＷ＿ｔｉｔ（ｉ）∩ＫＷ＿ｄｅｓ（ｉ）｝を作成する（Ｓ２３４）。
【００３３】
そして、商品評価部１３２は、着目する商品についての評価値Ｄｉを、キーワード群｛ＫＷ＿ｄｅｓ（ｉ）｝に含まれるキーワードの数から、積集合｛ＫＷ＿ｔｉｔ（ｉ）∩ＫＷ＿ｄｅｓ（ｉ）｝に含まれるキーワードの数を減算することで導出する（Ｓ２３５）。なお、Ｎ［］は、括弧内の集合要素の数を表すものとする。
【００３４】
続いて、商品評価部１３２は、評価値Ｄｉが閾値Ｔｈ２以上であるか否かを判定し（Ｓ２３６）、評価値Ｄｉが閾値Ｔｈ２以上である場合、識別情報ｉで表される商品が、過剰な露出が生じやすい商品であると判定する（Ｓ２３７）。
【００３５】
前述したように、詳細説明に記載可能なテキストの文字数は、タイトルよりも多い。このため、本来の商品とは全く無関係な情報（例えば、出品者の商品と関係の無いブランド名や、商品の特性と明らかに異なる記載（商品が「サファイアの指輪」なのに「ダイヤモンド」など））を記載することで検索ヒット数を増やそうというアクションは、詳細説明の欄に対して行われることが多い。
【００３６】
これに対して実施形態の情報処理装置では、確率Ｐが基準よりも高いキーワード、すなわちタイトルと詳細説明の双方に記載される確率が高く、購入者への訴求度が高いと考えられるキーワードが、タイトルに含まれず且つ商品詳細に含まれる度合いが高いほど、過剰な露出が生じやすい商品と評価することで、商品に付されたタイトルや詳細説明、ひいては商品販売画面（コンテンツ）を適切に評価することができる。
【００３７】
なお、閾値Ｔｈ２は、１以上の任意の数に定められる。商品のカテゴリや特性にもよるが、例えば、３〜５程度の値に定められると好適である。閾値Ｔｈ２を１や２程度の値にすると、ブランド名のカタカナ表記などが該当してしまうため、過剰な露出が生じやすい商品であると判定される頻度が高くなり過ぎるからである。
【００３８】
図８の処理が終了すると、商品評価部１３２は、評価結果を出力する（図６；Ｓ２４０）。商品評価部１３２は、例えば、ランキング処理部１０８や情報修正サジェスト部１１２に評価結果を出力する。ランキング処理部１０８では、過剰な露出が生じやすい商品であると判定された商品のランキングを下げる処理などを行う。例えば、ランキング処理部１０８は、タイトルに含まれず詳細説明に含まれる、確率Ｐが基準よりも高いキーワードについては、検索ヒットに対する重みを小さくするなどして、結果的にその商品のランキングを下げるようにしてよい。また、ランキング処理部１０８は、過剰な露出が生じやすい商品であると判定された商品のランキングを、機械的に下位の順位（例えば１００位など）に下げるようにしてもよい。また、情報修正サジェスト部１１２では、過剰な露出が生じやすい商品であると判定された商品の出品者の端末装置１０に対し、確率Ｐの高いキーワードを詳細説明だけでなくタイトルにも記載した方が良い、という内容のサジェスト情報（タイトルまたは詳細説明の修正を促す情報）を送信する。
【００３９】
図６および図８に示す処理は、必ずしも一連の処理として実行される必要はない。例えば、Ｓ２００〜Ｓ２２０の処理は一日に一回程度の頻度でバッチ処理として実行され、Ｓ２３０（図８の処理も含む）およびＳ２４０の処理は、新しい商品が出品される度に実行されてもよい。
【００４０】
［変形例］
商品評価部１３２は、上記説明した処理に加えて、過剰な露出が生じやすい商品であると判定しないためのネガティブチェックリストを用意しておき、該当する場合には過剰な露出が生じやすい商品であると判定しないようにしてもよい。
【００４１】
図９は、ネガティブチェックリストを用いた処理について説明するための図である。例えば、「ＡＡ（スペース）ＢＢ（スペース）ＣＣ」のようなブランド名があり、これをカタカナ表記するとスペース無しで「エイエイビービーシーシー」のようになる場合を考慮する。このカタカナ表記は認知度が高く、タイトルにも記載される頻度が高いため、キーワードとして確率Ｐが高く算出されるものとする。この場合において、英字のブランド名が形態素解析によって「ＡＡ」「ＢＢ」「ＣＣ」に分割されてしまうと、「エイエイビービーシーシー」はタイトルに記載されていないと判定されてしまう。このような場面を想定し、情報処理装置の運用者は、予めネガティブチェックリストを記憶装置に記憶させておき、誤判断しやすいキーワードである「エイエイビービーシーシー」を、本来の英字のブランド名（対応するキーワード）である「ＡＡ（スペース）ＢＢ（スペース）ＣＣ」と共にネガティブチェックリストに登録しておく。そして、商品評価部１３２は、タイトルまたは詳細説明に「エイエイビービーシーシー」がある場合、ネガティブチェックリストを参照して対応する「ＡＡ（スペース）ＢＢ（スペース）ＣＣ」を抽出し、「ＡＡ（スペース）ＢＢ（スペース）ＣＣ」がタイトルまたは詳細説明にあるかどうかを判定する。そして、いずれか一方に「エイエイビービーシーシー」があり、他方に「ＡＡ（スペース）ＢＢ（スペース）ＣＣ」がある場合、これについて評価値Ｄｉから１（後述するように確率Ｐを考慮する場合は、確率Ｐに応じた値）を減算する。これによって、形態素解析によって分割されてしまいやすい名詞の存在によって評価値Ｄｉが不当に高くなるという現象が生じるのを抑制することができる。
【００４２】
また、同時存在確率導出部１３０および商品評価部１３２は、大文字と小文字の違いなど、表記揺れに関する辞書を用意しておき、表記揺れの範囲内である場合には同じキーワードであると判定するようにしてもよい。
【００４３】
また、同時存在確率導出部１３０は、大量に出品する出品者（ストア）に関しては、同じ傾向でタイトルおよび詳細説明を記載する場合があるので、その出品者の記載傾向に偏らないように、Ｓ２００〜Ｓ２２０の処理対象とする際に、データの間引き処理を行ってもよい。これによって、特定の出品者の記載傾向に基づいて確率Ｐの計算にバイアスがかかるのを抑制することができる。
【００４４】
また、商品評価部１３２は、集合要素の数を表すＮ［］に基づいて評価値Ｄｉを算出するものとしたが、確率Ｐを反映させて、確率Ｐの高いキーワードが詳細説明に含まれ且つタイトルに含まれないほど、過剰な露出が生じやすい商品であると判定するようにしてもよい。以下、その具体例を示す。
【００４５】
（１）例えば、商品評価部１３２は、式（１）に基づいて、評価値Ｄｉ＃１を導出してもよい。式中、ｊは、キーワード群｛ＫＷ＿ｄｅｓ（ｉ）｝に含まれ且つ積集合｛ＫＷ＿ｔｉｔ（ｉ）∩ＫＷ＿ｄｅｓ（ｉ）｝に含まれないキーワードであり、Ｐｊは、そのキーワードについて導出されている確率である。この式によって求められる評価値Ｄｉ＃１は、評価値Ｄｉとは逆に、値が小さいほど、過剰な露出が生じやすい商品である傾向を示すものである。従って、商品評価部１３２は、評価値Ｄｉ＃１が閾値Ｔｈ３以下である場合に、過剰な露出が生じやすい商品であると判定する。
【００４６】
【数１】
2019139464.tif 000003
【００４７】
（２）また、商品評価部１３２は、式（２）に基づいて、評価値Ｄｉ＃２を導出してもよい。この式によって求められる評価値Ｄｉ＃２は、値が大きいほど、過剰な露出が生じやすい商品である傾向を示すものである。従って、商品評価部１３２は、評価値Ｄｉ＃２が閾値Ｔｈ４以下である場合に、過剰な露出が生じやすい商品であると判定する。なお、閾値Ｔｈ４は、前述した閾値Ｔｈ２よりも若干小さい値（例えば２〜４程度の値）にすると好適である。
【００４８】
【数２】
2019139464.tif 000004
【００４９】
以上説明した実施形態によれば、第１テキストと第２テキストを含む評価対象のコンテンツにおいて、第２テキストに含まれるキーワードが、第１テキストに含まれるか否かに基づいて、評価対象のコンテンツを評価することにより、コンテンツを適切に評価することができる。
【００５０】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００５１】
１０  端末装置
１００  ショッピングサーバ（情報処理装置）
１０２  サイト提供部
１０４  出品受付部
１０６  検索実行部
１０８  ランキング処理部
１１０  ログ収集部
１１２  情報修正サジェスト部
１３０  同時存在確率導出部
１３２  商品評価部
１４０  商品データ
１５０  ログデータ
【図１】
2019139464.tif 000005
【図２】
2019139464.tif 000006
【図３】
2019139464.tif 000007
【図４】
2019139464.tif 000008
【図５】
2019139464.tif 000009
【図６】
2019139464.tif 000010
【図７】
2019139464.tif 000011
【図８】
2019139464.tif 000012
【図９】
2019139464.tif 000013